(57)【要約】【課題】泥水の付着によるシール性の低下を防止でき、かつ、小石等の飛来を受けてもシール性が低下しない密封型転がり軸受を提供することである。【解決手段】内輪１と外輪２の間の軸受空間を内外２枚の接触シール５、６で密封し、外側の接触シール６に芯金６ａを設けて、この芯金６ａを内輪１の段差部１ｂに嵌合し、外側の接触シール６を強固に固定することにより、外側の接触シール６で泥水を遮断し、内側の接触シール５の摺接部に泥水が付着しないようにして、泥水の付着によるシール性の低下を防止するとともに、小石等の飛来を受けたときの外側の接触シール６の損傷やずれによるシール性の低下も防止できるようにした。【選択図】図２
2006214557.tif 000002
【特許請求の範囲】
【請求項１】
内輪と外輪の間の軸受空間を、弾性部材で形成したリップをシール摺接面に接触させる接触シールで密封した密封型転がり軸受において、前記軸受空間を内外２枚の前記接触シールで密封し、外側の接触シールに芯金を設けて、この芯金を前記内輪または外輪に嵌合することにより、外側の接触シールを固定したことを特徴とする密封型転がり軸受。
【請求項２】
前記外側の接触シールの芯金の嵌合部の外側に、前記嵌合された内輪または外輪と接触して、前記嵌合部をシールするリップを設けた請求項１に記載の密封型転がり軸受。
【発明の詳細な説明】
【技術分野】
【０００１】
本発明は、内輪と外輪の間の軸受空間を接触シールで密封した密封型転がり軸受に関する。
【背景技術】
【０００２】
ダストや水等が飛散する環境で使用される転がり軸受には、これらが内輪と外輪の間の軸受空間へ侵入するのを防止するために、接触シールで軸受空間を密封した密封型転がり軸受が用いられている。接触シールは、ゴム等の弾性部材で形成されたリップを内輪や外輪のシール摺接面と接触させて、軸受空間を密封するものである。
【０００３】
この種の密封型転がり軸受には、軸受空間の両側に１枚ずつの接触シールを装着したものや（例えば、特許文献１参照）、これらの１枚ずつ装着した接触シールの外側に、さらに非接触のシールドを装着したものがある（例えば、特許文献２、３参照）。特許文献２に記載されたものでは、シールド（遮蔽板）を内輪に取り付けたものと外輪に取り付けたものとに分割し、これらの分割したシールド間にラビリンス隙間を形成している。また、特許文献３に記載されたものでは、シールド（カバー）と内側の接触シールの間にラビリンス隙間を形成している。さらに、特許文献２および特許文献３には、接触シールに設けたリップをシールドに接触させる構成も記載されている。
【０００４】
一方、自動車のプロペラシャフトのセンター軸支持部や、ドライブシャフトのジョイント軸支持部等に使用される転がり軸受は、車両の床下部位に配設されるので、泥水の飛散を受けるとともに、小石等の飛来も受ける。
【０００５】
【特許文献１】実開平７−１０５５５号公報（第１図）
【特許文献２】実公平８−３７１０号公報（第１、２図）
【特許文献３】特開２００１−５０２８８号公報（第１、３〜１０図）
【発明の開示】
【発明が解決しようとする課題】
【０００６】
上述したような泥水の飛散を受ける部位に、特許文献１に記載されたような密封型転がり軸受を使用すると、飛散する泥水が接触シールの摺接部に付着し、泥水中の泥によってリップやシール摺接面が摩耗して、シール性が著しく低下する問題がある。また、弾性部材で形成されたリップを有する接触シールは、嵌合等によって強固に固定された金属製のシールドに較べて、小石等の飛来を受けると損傷したりずれたりしやすく、この損傷やずれによってシール性が低下する問題もある。
【０００７】
特許文献２および特許文献３に記載された密封型転がり軸受は、シールドによって泥水が接触シールの摺接部へ直接付着するのは防止できるが、シールドは非接触の隙間部を有するので、泥水がこの隙間部からラビリンス隙間を通って、シールドと接触シールの間に侵入する。このようにシールドと接触シールの間に侵入した泥水は、水分の蒸発によって泥分の濃度が増大するので、この泥分の濃度が増大した泥水が接触シールの摺接部に付着すると、リップやシール摺接面の摩耗が促進される。このため、シール性の低下を十分に防止することはできない。
【０００８】
このような問題に対して、本発明者は、軸受空間を内外２枚の接触シールで密封し、飛散する泥水を外側の接触シールで遮断して、内側の接触シールの摺接部に泥水が付着しないようにした密封型転がり軸受を先に提案している（特願２００５−２９１１６）。このように軸受空間を内外２枚の接触シールで密封した密封型転がり軸受は、泥水の付着によるシール性の低下は防止できるが、小石等の飛来を受けると、特許文献１に記載されたものと同様に、外側の接触シールが損傷したりずれたりしやすく、この損傷やずれによってシール性が低下する問題がある。
【０００９】
そこで、本発明の課題は、泥水の付着によるシール性の低下を防止でき、かつ、小石等の飛来を受けてもシール性が低下しない密封型転がり軸受を提供することである。
【課題を解決するための手段】
【００１０】
上記の課題を解決するために、本発明は、内輪と外輪の間の軸受空間を、弾性部材で形成したリップをシール摺接面に接触させる接触シールで密封した密封型転がり軸受において、前記軸受空間を内外２枚の前記接触シールで密封し、外側の接触シールに芯金を設けて、この芯金を前記内輪または外輪に嵌合することにより、外側の接触シールを固定した構成を採用した。
【００１１】
すなわち、軸受空間を内外２枚の接触シールで密封することにより、外側の接触シールで泥水を遮断し、内側の接触シールの摺接部に泥水が付着しないようにして、泥水の付着によるシール性の低下を防止するとともに、外側の接触シールに芯金を設け、この芯金を内輪または外輪に嵌合して、外側の接触シールを強固に固定することにより、小石等の飛来を受けたときの外側の接触シールの損傷やずれによるシール性の低下も防止できるようにした。
【００１２】
前記外側の接触シールの芯金の嵌合部の外側に、前記嵌合された内輪または外輪と接触して、前記嵌合部をシールするリップを設けることにより、芯金の嵌合部のシール性を確保することができる。また、このシール性の確保によって、嵌合部への水分の浸入による芯金の錆の発生も防止することができる。
【発明の効果】
【００１３】
本発明の密封型転がり軸受は、軸受空間を内外２枚の接触シールで密封し、外側の接触シールに芯金を設けて、この芯金を内輪または外輪に嵌合して、外側の接触シールを強固に固定したので、外側の接触シールで泥水を遮断し、内側の接触シールの摺接部に泥水が付着しないようにして、泥水の付着によるシール性の低下を防止できるとともに、小石等の飛来を受けたときの外側の接触シールの損傷やずれによるシール性の低下も防止することができる。
【００１４】
前記外側の接触シールの芯金の嵌合部の外側に、嵌合された内輪または外輪と接触して、嵌合部をシールするリップを設けることにより、芯金の嵌合部のシール性を確保することができる。また、このシール性の確保によって、嵌合部への水分の浸入による芯金の錆の発生も防止することができる。
【発明を実施するための最良の形態】
【００１５】
以下、図面に基づき、本発明の実施形態を説明する。この密封型転がり軸受は、図１に示すように、内輪１と外輪２の間でボール３が保持器４に保持された軸受空間を、内外２枚の接触シール５、６で密封した玉軸受である。
【００１６】
図２に示すように、前記各接触シール５、６は、それぞれ芯金５ａ、６ａと、弾性部材５ｂ、６ｂとから成る。内側の接触シール５は、外輪２の内径面に設けられた溝２ｂに弾性部材５ｂの部分を嵌め込んで固定され、そのリップ５ｃが内輪１のシール摺接面１ａと接触している。
【００１７】
前記外側の接触シール６は、内輪１の外径面に設けられた段差部１ｂに芯金６ａを嵌合することにより固定され、そのリップ６ｃが外輪２のシール摺接面２ａと接触している。この外側の接触シール６は、泥水の付着によりその摺接部に摩耗が生じても隙間が開かないように、十分に大きなリップ締め代が設定されている。したがって、周囲に飛散する泥水が内側の接触シール５まで到達することはなく、そのリップ５ｃの摺接部への泥水の付着によって生じる摩耗によるシール性の低下が防止されるとともに、小石等の飛来を受けたときの外側の接触シールの損傷やずれによるシール性の低下も防止される。
【００１８】
また、前記芯金６ａの嵌合部の外側には、嵌合された内輪１の段差部１ｂと接触して、嵌合部をシールする弾性部材６ｂで形成されたリップ６ｄが設けられている。したがって、芯金６ａの嵌合部のシール性が確保され、このシール性の確保によって、嵌合部への水分の浸入による芯金６ａの錆の発生も防止される。
【００１９】
上述した実施形態では、密封型転がり軸受を玉軸受としたが、本発明に係る密封型転がり軸受は、ころ軸受等の他の種類の転がり軸受にも採用することができる。また、内側と外側の各接触シールの形態も実施形態のものに限定されることはなく、外側の接触シールが芯金の嵌合によって強固に固定されるものであればよい。
【図面の簡単な説明】
【００２０】
【図１】密封型転がり軸受の実施形態を示す縦断面図
【図２】図１の要部を拡大して示す断面図
【符号の説明】
【００２１】
１  内輪
１ａ  シール摺接面
１ｂ  段差部
２  外輪
２ａ  シール摺接面
２ｂ  溝
３  ボール
４  保持器
５、６  接触シール
５ａ、６ａ  芯金
５ｂ、６ｂ  弾性部材
５ｃ、６ｃ、６ｄ  リップ
【図１】
2006214557.tif 000003
【図２】
2006214557.tif 000004